(57)【特許請求の範囲】
【請求項１】
固有のスタッフ識別番号を含むスタッフ情報を記憶するスタッフ情報記憶部と、
店舗への顧客満足度に関する調査レポートを記憶する調査レポート記憶部と、
前記スタッフ情報記憶部に記憶されているスタッフ識別番号に基づいて認証を行う認証部と、
前記認証部により認証されたスタッフに前記調査レポートを閲覧させ、前記調査レポートに対する気づきの入力または／および前記調査レポートを支持するかどうかの入力を受け付ける第１受付部と、
前記認証部により認証されたスタッフから、店舗業務の満足度に関する診断書の各項目に対する回答を受け付ける第２受付部と、
前記第１受付部により受け付けた入力、および、前記第２受付部により受け付けた回答をスタッフ識別番号ごとに集計する集計部と
を備えるスタッフ管理装置。
【請求項２】
前記集計部は、前記調査レポートの閲覧状況、前記第１受付部により受け付けた入力の内容、および、前記第２受付部により受け付けた回答の内容に基づいて、業務の改善意欲度に関する指標をスタッフ識別番号ごとに集計する請求項１記載のスタッフ管理装置。
【請求項３】
前記集計部は、前記調査レポートを閲覧した日時、または、前記第１受付部により受け付けた入力の日時が早いほど、前記業務の改善意欲度に関する指標を高くする請求項２記載のスタッフ管理装置。
【請求項４】
前記認証部は、管理者であると認証した場合、当該管理者の管理下のスタッフの前記認証部による認証状況、前記調査レポートの閲覧状況、前記第１受付部により受け付けた入力、前記第２受付部により受け付けた回答、および、業務の改善意欲度に関する指標の閲覧を許可する請求項２または３記載のスタッフ管理装置。
【請求項５】
前記集計部により集計された前記業務の改善意欲度に関する指標に基づいて、教育プログラムを推薦する推薦部と、
前記推薦部で推薦された教育プログラムを提供する提供部と
を備える請求項２から４のいずれか一項に記載のスタッフ管理装置。
【請求項６】
前記スタッフ情報記憶部は、前記認証部による認証状況、前記調査レポートの閲覧状況、前記第１受付部により受け付けた入力、前記第２受付部により受け付けた回答、および、業務の改善意欲度に関する指標をスタッフ識別番号に関連付けて記憶しており、
前記集計部は、前記提供部により提供された教育プログラムの受講の影響によるスタッフの業務の改善意欲度に関する指標の経年変化を集計する請求項５に記載のスタッフ管理装置。
【請求項７】
前記第１受付部は、他のスタッフが入力した、前記調査レポートに対する回答を、前記認証部により認証されたスタッフに閲覧させ、前記回答に対する入力を受け付ける請求項１から６のいずれか一項に記載のスタッフ管理装置。
【請求項８】
固有のスタッフ識別番号を含むスタッフ情報を記憶するスタッフ情報記憶部に記憶されているスタッフ識別番号に基づいて認証を行う認証工程と、
前記認証工程により認証されたスタッフに、店舗への顧客満足度に関する調査レポートを閲覧させ、前記調査レポートに対する気づきの入力または／および前記調査レポートを支持するかどうかの入力を受け付ける第１受付工程と、
前記認証工程により認証されたスタッフから、店舗業務の満足度に関する診断書の各項目に対する回答を受け付ける第２受付工程と、
前記第１受付工程により受け付けた入力、および、前記第２受付工程により受け付けた回答をスタッフ識別番号ごとに集計する集計工程と
を備えるスタッフ管理方法。
【請求項９】
固有のスタッフ識別番号を含むスタッフ情報を記憶するスタッフ情報記憶部に記憶されているスタッフ識別番号に基づいて認証を行う認証工程と、
前記認証工程により認証されたスタッフに、店舗への顧客満足度に関する調査レポートを閲覧させ、前記調査レポートに対する気づきの入力または／および前記調査レポートを支持するかどうかの入力を受け付ける第１受付工程と、
前記認証工程により認証されたスタッフから、店舗業務の満足度に関する診断書の各項目に対する回答を受け付ける第２受付工程と、
前記第１受付工程により受け付けた入力、および、前記第２受付工程により受け付けた回答をスタッフ識別番号ごとに集計する集計工程と、をコンピュータによって実現するためのスタッフ管理プログラム。
【発明の詳細な説明】
【技術分野】
【０００１】
本発明は、スタッフの管理に利用するスタッフ管理装置、スタッフ管理方法およびスタッフ管理プログラムに関する。
【背景技術】
【０００２】
飲食店、小売店、美容室、銀行などにおいて、サービスの向上などを図る目的で、スタッフの接客態度などを定期的に調査することがある。当該調査には、第三者による調査、いわゆる覆面調査がある。
【０００３】
覆面調査（ミステリーショッパー）とは、客に扮した調査員により行われる調査をいう。調査員は、あらかじめ定められた調査項目に沿って、対象店舗を利用し、報告書（レポート）を作成する。調査対象店舗は、覆面調査（ミステリーショッパー）を行う事で自店の強みや弱みに気づき、より良い店舗運営に役立てる事ができる。
【０００４】
例えば、特許文献１によれば、複数回に渡って行われた調査について回帰分析を行い、当該回帰分析の結果を用いて、現実の調査結果を修正し、修正された調査結果及び調査期間に対応する売上情報を軸とする２次元平面上にプロットし、当該プロットされた領域に応じたアドバイス情報を提示するシステムが提案されている。
【先行技術文献】
【特許文献】
【０００５】
【特許文献１】特開２０１４−２２２４９３号公報
【発明の概要】
【発明が解決しようとする課題】
【０００６】
ところで、覆面調査の結果は、顧客満足度（ＣＳ，Ｃｕｓｔｏｍｅｒ  Ｓａｔｉｓｆａｃｔｉｏｎ）を図る指標として利用することができる。さらに、覆面調査の結果に基づいてサービスの向上を図ることにより、ＣＳの向上を図ることもできる。
【０００７】
一方、スタッフの会社に対する満足度、つまり、スタッフ満足度（ＥＳ，Ｅｍｐｌｏｙｅｅ  Ｓａｔｉｓｆａｃｔｉｏｎ）を高めることは、企業の業績の向上に結びつくと考えられる。また、企業の業績を向上させるためには、ＣＳが重要な要素であるが、ＣＳに結びついているのがＥＳであると考えられる。
【０００８】
本発明では、ＥＳとＣＳとを密接に連携させることにより、個々のスタッフに最適な教育や配置を講ずることができるスタッフ管理装置、スタッフ管理方法およびスタッフ管理プログラムを提供することを目的とする。
【課題を解決するための手段】
【０００９】
上記目的を達成するために、本発明の一態様におけるスタッフ管理装置は、固有のスタッフ識別番号を含むスタッフ情報を記憶するスタッフ情報記憶部と、調査レポートを記憶する調査レポート記憶部と、前記スタッフ情報記憶部に記憶されているスタッフ識別番号に基づいて認証を行う認証部と、前記認証部により認証された後、前記調査レポートに対する回答を受け付ける第１受付部と、前記認証部により認証された後、店舗業務の満足度に関する診断書の各項目に対する回答を受け付ける第２受付部と、前記第１受付部により受け付けた回答、および、前記第２受付部により受け付けた回答をスタッフ識別番号ごとに集計する集計部とを備える。
【００１０】
また、本発明の一態様におけるスタッフ管理装置では、前記集計部は、前記調査レポートの閲覧状況、前記第１受付部により受け付けた回答の内容、および、前記第２受付部により受け付けた回答の内容に基づいて、業務の改善意欲度に関する指標をスタッフ識別番号ごとに集計する構成でもよい。
【００１１】
また、本発明の一態様におけるスタッフ管理装置では、前記集計部は、前記調査レポートを閲覧した日時、または、前記第１受付部により受け付けた回答の日時が早いほど、前記業務の改善意欲度に関する指標を高くする構成でもよい。
【００１２】
また、本発明の一態様におけるスタッフ管理装置では、前記認証部は、管理者であると認証した場合、当該管理者の管理下のスタッフの前記認証部による認証状況、前記調査レポートの閲覧状況、前記第１受付部により受け付けた回答、前記第２受付部により受け付けた回答、および、業務の改善意欲度に関する指標の閲覧を許可する構成でもよい。
【００１３】
また、本発明の一態様におけるスタッフ管理装置では、前記集計部により集計された前記業務の改善意欲度に関する指標に基づいて、教育プログラムを推薦する推薦部と、前記推薦部で推薦された教育プログラムを提供する提供部とを備える構成でもよい。
【００１４】
また、本発明の一態様におけるスタッフ管理装置では、前記スタッフ情報記憶部は、前記認証部による認証状況、前記調査レポートの閲覧状況、前記第１受付部により受け付けた回答、前記第２受付部により受け付けた回答、および、業務の改善意欲度に関する指標をスタッフ識別番号に関連付けて記憶しており、前記集計部は、前記提供部により提供された教育プログラムの受講の影響によるスタッフの業務の改善意欲度に関する指標の経年変化を集計する構成でもよい。
【００１５】
上記目的を達成するために、本発明の一態様におけるスタッフ管理方法は、固有のスタッフ識別番号を含むスタッフ情報を記憶するスタッフ情報記憶部に記憶されているスタッフ識別番号に基づいて認証を行う認証工程と、前記認証工程により認証された後、調査レポートに対する回答を受け付ける第１受付工程と、前記認証工程により認証された後、店舗業務の満足度に関する診断書の各項目に対する回答を受け付ける第２受付工程と、前記第１受付工程により受け付けた回答、および、前記第２受付工程により受け付けた回答をスタッフ識別番号ごとに集計する集計工程とを備える。
【００１６】
上記目的を達成するために、本発明の一態様におけるスタッフ管理プログラムは、固有のスタッフ識別番号を含むスタッフ情報を記憶するスタッフ情報記憶部に記憶されているスタッフ識別番号に基づいて認証を行う認証工程と、前記認証工程により認証された後、調査レポートに対する回答を受け付ける第１受付工程と、前記認証工程により認証された後、店舗業務の満足度に関する診断書の各項目に対する回答を受け付ける第２受付工程と、前記第１受付工程により受け付けた回答、および、前記第２受付工程により受け付けた回答をスタッフ識別番号ごとに集計する集計工程と、をコンピュータによって実現するためのプログラムである。
【発明の効果】
【００１７】
本発明によれば、個々のスタッフに最適な教育や配置を講ずることができる。
【図面の簡単な説明】
【００１８】
【図１】スタッフ管理装置の構成を示すブロック図である。
【図２】スタッフ管理装置により生成される集計表の一例を示す図である。
【図３】スタッフ管理装置により生成される集計表の一例を示す図である。
【図４】スタッフ管理装置により生成される他店舗の集計結果の一例を示す図である。
【図５】スタッフ管理装置の動作についての説明に供するフローチャートである。
【発明を実施するための形態】
【００１９】
以下、本発明の実施形態に係るスタッフ管理装置、スタッフ管理方法およびスタッフ管理プログラムについて図面を参照しながら説明する。なお、実施形態を説明する全図において、共通の構成要素には同一の符号を付し、繰り返しの説明を省略する。
【００２０】
なお、以下では、一例としてサービス業（外食、金融、医療等）で多店舗展開している会社の各店舗に対して行われた覆面調査の結果を利用して、各店舗のスタッフのＣＳ（Ｃｕｓｔｏｍｅｒ  Ｓａｔｉｓｆａｃｔｉｏｎ）とＥＳ（Ｅｍｐｌｏｙｅｅ  Ｓａｔｉｓｆａｃｔｉｏｎ）を可視化（見える化）し、個々のスタッフに最適な教育や配置を講ずるスタッフ管理装置、スタッフ管理方法およびスタッフ管理プログラムの構成と動作について説明するが、サービス業以外の業界に適用することもできるし、一店舗のみを有する会社に適用することもできる。なお、本実施例では、スタッフとは、正規社員、派遣社員、アルバイト店員などを含む概念である。
【００２１】
スタッフ管理装置１は、図１に示すように、ネットワーク２を介して、複数のユーザ端末３に接続されている。ユーザ端末３は、管理者や、スタッフが有するモバイル端末（スマートフォン、パーソナルコンピュータ（ＰＣ）など）である。ユーザは、ユーザ端末３を操作して、予めダウンロードされている専用のアプリケーション（以下、専用アプリという）を起動し、専用アプリによりスタッフ管理装置１が管理しているサーバにアクセスする。なお、専用アプリとは、スタッフ管理装置１により管理されているサービスの提供を受けるアプリケーションである。
【００２２】
スタッフ管理装置１は、図１に示すように、固有のスタッフ識別番号を含むスタッフ情報を記憶するスタッフ情報記憶部１１と、調査レポートを記憶する調査レポート記憶部１２と、スタッフ情報記憶部１１に記憶されているスタッフ識別番号に基づいて認証を行う認証部１３と、認証部１３により認証された後、調査レポートに対する回答を受け付ける第１受付部１４と、認証部１３により認証された後、店舗業務の満足度に関する診断書（以下、ＥＳ診断書という）の各項目に対して回答を受け付ける第２受付部１５と、第１受付部１４により受け付けた回答、および、第２受付部１５により受け付けた回答をスタッフ識別番号ごとに集計する集計部１６とを備える。
【００２３】
調査レポートは、覆面調査により作成された店舗ごとのレポートである。例えば、調査レポートには、入店案内時、席に案内する前の待機時、料理等の注文時、食事中、会計時などのスタッフの対応や、食事の内容や、ホールなどの清潔度など、多数の項目について調査した結果（点数）と、調査員の感想などのコメントが含まれている。
【００２４】
認証部１３は、ユーザ端末３の専用アプリから所定の認証情報（例えば、ＩＤとパスワード）が送信された場合、スタッフ情報記憶部１１にアクセスし、認証処理を行う。
【００２５】
第１受付部１４は、専用アプリの操作に基づいて、調査レポートの結果（点数）に対する回答を受け付ける。具体的には、回答は、調査レポートの結果（点数）に対して、気づきシートの入力と、支持するかどうかの評価ボタンの操作の有無である。また、調査レポートのコメントを保存することもできる。また、あるスタッフの気づきシートを他のスタッフも閲覧することができ、スタッフ同士で、互いに支持するかどうかの承認と、コメントの入力を行うことができる。ＣＳの調査レポートを単に閲覧させるだけでなく、スタッフからの回答を促すことで、スタッフの業務の改善意欲度を高め、その程度を評価ことができる。
【００２６】
第２受付部１５は、専用アプリの操作に基づいて、ＥＳ診断書の各項目に対して回答を受け付ける。ＥＳ診断書には、例えば、カテゴリとして、リーダーシップ、業務モチベーション、チーム環境、組織ロイヤルティなどがある。例えば、リーダーシップには、複数の項目があり、例えば、「ビジョンの明示」項目では、「あなたは、上司（店長）が「明確なビジョン・理念」を示していると感じるか」という設問がある。当該設問に対して、「５．まさにそう思う、４．まあそう思う、３．どちらともいえない、２．あまり思わない、１．全く思わない」という選択肢の中から一つを選択する。スタッフは、ユーザ端末３の専用アプリに表示されるＥＳ診断書に含まれている各カテゴリに含まれている各項目の設問に対してそれぞれ選択を行う。ＥＳ診断書により、スタッフごとの業務の満足度などを評価することができる。
【００２７】
つまり、第１受付部１４により行われた回答は、ＣＳの調査レポートに対する積極的な取り組みであり、第２受付部１５により行われた回答は、ＥＳの調査結果となる。
【００２８】
よって、スタッフ管理装置１は、ＥＳとＣＳとを密接に連携させることができるので、個々のスタッフに最適な教育を行ったり、最適な配置にすることができる。
【００２９】
また、集計部１６は、調査レポートの閲覧状況、第１受付部１４により受け付けた回答の内容、および、第２受付部１５により受け付けた回答の内容に基づいて、業務の改善意欲度に関する指標をスタッフ識別番号ごとに集計する。
【００３０】
さらに、集計部１６は、調査レポートを閲覧した日時、または、第１受付部１４により受け付けた回答の日時が早いほど、業務の改善意欲度に関する指標を高くする構成でもよい。
【００３１】
スタッフ管理装置１は、例えば、調査レポートが作成された場合、各ユーザ端末３に対して調査レポートの閲覧が可能なことを通知する。なお、調査レポートの通知は、プッシュ型ではなく、ユーザ端末３の専用アプリが定期的にスタッフ管理装置１にアクセスして調査レポートの有無を確認するプル型でもよい。
【００３２】
集計部１６は、例えば、調査レポートを閲覧可能にした日時からｎ１時間経過前までに調査レポートを閲覧したユーザに対しては、業務の改善意欲度に関する指標を最高点にし、ｎ１時間経過後ｎ２時間経過前までに調査レポートを閲覧したユーザに対しては、業務の改善意欲度に関する指標を中くらいにし、ｎ２時間経過後に調査レポートを閲覧したユーザに対しては、業務の改善意欲度に関する指標を最低点にする。
【００３３】
また、集計部１６は、例えば、第１受付部１４により受け付けた回答までの時間、および、第２受付部１５により受け付けた回答までの時間に基づいて、業務の改善意欲度に関する指標を作成する。
【００３４】
よって、スタッフ管理装置１は、スタッフのレスポンスの速さに基づいて、業務の改善意欲を図ることができる。
【００３５】
また、認証部１３は、管理者であると認証した場合、当該管理者の管理下のスタッフの認証部１３による認証状況、調査レポートの閲覧状況、第１受付部１４により受け付けた回答、第２受付部１５により受け付けた回答、および、業務の改善意欲度に関する指標の閲覧を許可する。
【００３６】
例えば、Ｘ店の管理者である店長は、所定の認証手続きを行うことにより、図２および図３に示す集計表を閲覧することができる。図２は、Ｘ店の各スタッフの行動が記録されている集計表である。初回閲覧日の項目には、調査レポートを始めて閲覧した日時が記録されている。初回気づき提出日の項目には、調査レポートを閲覧したスタッフが気づきシートを記入して保存した日時が記録されている。初回支持日の項目は、調査レポートを閲覧したスタッフが、調査レポートの内容を支持した日時が記録されている。なお、図２に示す項目は、一例であり、他の項目が追加されてもよい。
【００３７】
また、図３は、図２に示す表に基づいて、業務の改善意欲度に関する指標を数値化して可視化した集計表である。図３に示す集計表では、各スタッフについて、仕事に対するモチベーション、仕事に対する情熱と責任感（オーナーシップ）、働きがい、気づきシートの提出数、支持数、アクションスピードなどが示されている。数値が高いほど業務の改善意欲度の高さを示している。なお、図３に示す項目は、一例であり、他の項目が追加されてもよい。図３では、スタッフをＡ，Ｂ，Ｃなど氏名で示しているが、スタッフの顔写真やイラストなどでもよい。
【００３８】
店長は、各スタッフの集計表を閲覧することにより、各スタッフのモチベーションなどを直感的に知ることができる。
【００３９】
よって、スタッフ管理装置１は、ＥＳとＣＳとを密接に連携させて、各スタッフのＣＳとＥＳとを数値化して可視化することができ、個々のスタッフに最適な教育を行ったり、最適な配置にすることができる。
【００４０】
また、スタッフ管理装置１は、図１に示すように、集計部１６により集計された業務の改善意欲度に関する指標に基づいて、教育プログラムを推薦する推薦部１７と、推薦部１７で推薦された教育プログラムを提供する提供部１８とを備える構成でもよい。
【００４１】
推薦部１７は、業務の改善意欲度に関する指標の程度に応じて、提供部１８に保存されている様々な教育プログラム（例えば、ｅ−ラーニングのコンテンツ）を推薦する。例えば、推薦部１７は、業務の改善意欲度に関する指標が高いスタッフに対しては、１０分程度のｅ−ラーニングのコンテンツを推薦する。推薦部１７は、業務の改善意欲度に関する指標が低いスタッフに対しては、１時間程度のｅ−ラーニングのコンテンツを推薦する。また、推薦部１７は、業務の改善意欲度に関する指標が高い優秀なスタッフに対しては、将来の幹部候補生として、幹部候補用の教育プログラムを推薦してもよい。なお、教育プログラムは、ｅ−ラーニングではなく、本やセミナーなどでもよい。
【００４２】
また、集計部１６は、提供部１８により提供された教育プログラムの受講履歴や、教育プログラム内で行われるテストの点数なども集計する。
【００４３】
また、スタッフ情報記憶部１１は、認証部１３による認証状況、調査レポートの閲覧状況、第１受付部１４により受け付けた回答、第２受付部１５により受け付けた回答、および、業務の改善意欲度に関する指標をスタッフ識別番号に関連付けて記憶している構成でもよい。集計部１６は、提供部１８により提供された教育プログラムの受講の影響によるスタッフの業務の改善意欲度に関する指標の経年変化を集計する。
【００４４】
店長は、各スタッフの経年による行動履歴を知ることにより、スタッフの成長や鈍化などを把握することができる。また、教育プログラムの受講などの教育施策が、実際のスタッフの成長や鈍化にどのような影響を与えたのかを把握することもできる。
【００４５】
なお、本実施例では、専用アプリを操作することによって調査レポートの閲覧や気づきシートの記入などを行うものとして説明したが、専用アプリに限られない。例えば、スタッフ管理装置１により専用のＷｅｂサイトが管理されており、Ｗｅｂブラウザによって当該Ｗｅｂサイトにアクセスすることにより、調査レポートなどを閲覧する形態でもよい。
【００４６】
また、スタッフ管理装置１は、認証部１３により管理者であると認証した場合、他店舗の情報を閲覧させる構成でもよい。閲覧内容は、例えば、各店舗の集計結果である。閲覧できる項目は、図４に示すように、各店舗において発行されている現ＩＤ数（つまり、スタッフ管理装置１に登録しているスタッフの数）、調査レポートの閲覧数、調査レポートを支持した数（他のスタッフの気づきシートに対して支持した数を含んでもよい）、入力された気づきシートの数である。図４に示す例によれば、Ｙ店は、支持数と気づきシート数が多く、改善意欲の高い店舗であると言える。また、他店の店長は、Ｙ店の状況を見て、自分の店舗のスタッフに気づきシートの記入などを促すことが期待される。
【００４７】
ここで、スタッフ管理装置１の動作について、図５に示すフローチャートを参照しながら説明する。
【００４８】
ステップＳ１において、認証部１３は、固有のスタッフ識別番号を含むスタッフ情報を記憶するスタッフ情報記憶部に記憶されているスタッフ識別番号に基づいて認証を行う。
【００４９】
ステップＳ２において、第１受付部１４は、ステップＳ１の工程により認証された後、調査レポートに対する回答を受け付ける。
【００５０】
ステップＳ３において、第２受付部１５は、ステップＳ１の工程により認証された後、ＥＳ診断書の各項目に対する回答を受け付ける。
【００５１】
ステップＳ４において、集計部１６は、ステップＳ２の工程により受け付けた回答、および、ステップＳ３の工程により受け付けた回答をスタッフ識別番号ごとに集計する。
【００５２】
よって、スタッフ管理装置１は、ＥＳとＣＳとを密接に連携させることができるので、個々のスタッフに最適な教育を行ったり、最適な配置にすることができる。
【００５３】
これまでは、覆面調査により作成された調査レポートは、本部（本社）に納品されていた。そして、調査レポートが本部から各店舗に送られて、店長により、ＣＳを高めるための改善に活用されていた。つまり、調査レポートの活用は、店長次第であった。また、気づきシートを各店舗で集計するのも手間がかかるし、さらに、本部が集計結果を集計することにも大変な手間がかかっていた。
【００５４】
また、スタッフの定着率を高め、離職率を下げるためには、店舗に対するスタッフの改善意識の向上が必要である。スタッフの改善意欲の高い店舗は、ＥＳが高いと言える。また、スタッフの改善意欲の高い店舗では、ＣＳが高い場合が多い。スタッフの改善意欲を高めるためには、各スタッフがお客様のことを考えながら、改善する風土と、スタッフ同士の双方向のコミュニケーションが大事になる。
【００５５】
本実施例に係るスタッフ管理装置１は、各スタッフが有するユーザ端末３によって調査レポートの閲覧を可能とし、調査レポートの閲覧状況、気づきシートの記入状況、支持の評価などにより、各スタッフの行動を点数化することにより可視化し、また、店舗の状態をＥＳ診断結果によって可視化することによって、スタッフの改善意識の向上を図り、改善風土を根付かせる仕組みを提供でき、個々のスタッフに最適な教育や配置を講ずることができる。また、スタッフ管理装置１は、気づきシートに対してスタッフ同士が評価しあうので、スタッフ同士の双方向のコミュニケーションを促すこともできる。
【００５６】
また、本実施例では、主に、各スタッフのＣＳとＥＳを可視化することにより、個々のスタッフに最適な教育や配置を講ずることができるスタッフ管理装置１の構成と動作について説明したが、これに限られず、各構成要素を備え、各スタッフのＣＳとＥＳを可視化することにより、個々のスタッフに最適な教育や配置を講ずるための方法、およびプログラムとして構成されてもよい。
【００５７】
さらに、スタッフ管理装置１を構成する各機能を実現するためのプログラムをコンピュータで読み取り可能な記録媒体に記録して、この記録媒体に記録されたプログラムをコンピュータシステムに読み込ませ、指示することによって実現してもよい。
【００５８】
具体的には、当該プログラムは、固有のスタッフ識別番号を含むスタッフ情報を記憶するスタッフ情報記憶部１１に記憶されているスタッフ識別番号に基づいて認証を行う認証工程と、認証工程により認証された後、調査レポートに対する回答を受け付ける第１受付工程と、認証工程により認証された後、ＥＳ診断書の各項目に対する回答を受け付ける第２受付工程と、第１受付工程により受け付けた回答、および、前記第２受付工程により受け付けた回答をスタッフ識別番号ごとに集計する集計工程と、をコンピュータによって実現するためのプログラムである。
【００５９】
さらに、ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００６０】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【００６１】
１  スタッフ管理装置、２  ネットワーク、３  ユーザ端末、１１  スタッフ情報記憶部、１２  調査レポート記憶部、１３  認証部、１４  第１受付部、１５  第２受付部、１６  集計部、１７  推薦部、１８  提供部。
【図１】
0006689648.tif 000002
【図２】
0006689648.tif 000003
【図３】
0006689648.tif 000004
【図４】
0006689648.tif 000005
【図５】
0006689648.tif 000006